(57)【要約】【課題】限りある記録媒体内のコンテンツの削除を含む整理を効率的に行う。    【解決手段】コンテンツを記録し管理するコンテンツ管理装置において，コンテンツ記録媒体と，コンテンツを取得してその管理情報と共に記録媒体に記録するコンテンツ記録ユニットと，記録媒体のコンテンツを管理情報に応じて記録媒体から削除，圧縮を含む記録容量確保の処理を行うコンテンツ管理ユニットとを有する。そして，コンテンツ管理ユニットは，記録容量確保処理対象のコンテンツを含む通知情報を利用者に通知し，利用者からの返信がない場合に，管理情報に含まれる強制処理属性に基づき該当するコンテンツについて強制的に記録容量確保処理を実行する。【選択図】図１
2007295190.tif 000002
【特許請求の範囲】
【請求項１】
コンテンツを記録し管理するコンテンツ管理装置において，
コンテンツを記録する記録媒体と，
コンテンツを取得してその管理情報と共に前記記録媒体に記録するコンテンツ記録ユニットと，
前記記録媒体に記録されたコンテンツを前記管理情報に応じて前記記録媒体から削除，転送，圧縮のいずれかを含む記録容量確保の処理を行うコンテンツ管理ユニットとを有し，
前記コンテンツ管理ユニットは，前記管理情報に基づいて前記記録容量確保処理対象のコンテンツを選択し，当該選択されたコンテンツのコンテンツ情報及びその記録容量確保の処理情報を含む通知情報を利用者に通知して当該利用者の承認を促し，前記通知情報の通知後に前記利用者からの前記通知に対する返信がない場合に，前記管理情報に含まれる強制処理属性に基づき該当するコンテンツについて強制的に前記記録容量確保処理を実行することを特徴とするコンテンツ管理装置。    
【請求項２】
コンテンツを記録し管理するコンテンツ管理装置において，
コンテンツを記録する記録媒体と，
コンテンツを取得してその管理情報と共に前記記録媒体に記録するコンテンツ記録ユニットと，
前記記録媒体に記録されたコンテンツを前記管理情報に応じて前記記録媒体から削除，圧縮のいずれかを含む記録容量確保の処理を行うコンテンツ管理ユニットとを有し，
前記管理情報は，前記利用者により設定され，
前記コンテンツ管理ユニットは，前記管理情報に基づいて前記記録容量確保処理対象のコンテンツを選択し，当該選択されたコンテンツのコンテンツ情報と記録容量確保処理種別のデータとを含む通知情報を利用者に通知して当該利用者の承認を促し，前記通知情報の通知後に前記利用者からの前記通知に対する返信がない場合に，前記管理情報に基づいて強制処理許可が設定されたコンテンツについて強制的に前記記録容量確保処理を実行することを特徴とするコンテンツ管理装置。  
【請求項３】
コンテンツを記録し管理するコンテンツ管理装置において，
コンテンツを記録する記録媒体と，
コンテンツを取得してその管理情報と共に前記記録媒体に記録するコンテンツ記録ユニットと，
前記記録媒体に記録されたコンテンツを前記管理情報に応じて前記記録媒体から削除，圧縮のいずれかを含む記録容量確保の処理を行うコンテンツ管理ユニットとを有し，
前記コンテンツ記録ユニットは，テレビ番組コンテンツを取得したときに電子プログラムガイドを参照して，当該テレビ番組コンテンツのコンテンツ情報を取得して記録し，
前記コンテンツ記録ユニットは，テレビ番組コンテンツの少なくともコンテンツＩＤとタイトルテロップデータとを有するテレビ番組コンテンツ固有データをデータベースとして記憶し，前記テレビ番組コンテンツのコンテンツ情報が取得できないテレビ番組コンテンツについて，当該テレビ番組コンテンツの再生時に再生されるタイトルテロップと前記テレビ番組コンテンツ固有データのタイトルテロップとのマッチングに基づいて前記コンテンツＩＤを抽出することを特徴とするコンテンツ管理装置。
【発明の詳細な説明】
【技術分野】
【０００１】
本発明は，映像や楽曲などのコンテンツを記録し再生するコンテンツ記録再生装置に関し，特に，記録したコンテンツ情報を自動的に取得し，記録容量の減少に対応して自動的に整理するコンテンツ管理装置に関する。
【背景技術】
【０００２】
コンテンツ記録再生装置は，大容量の記憶媒体を有する家庭内のファイル装置，ハードディスクを搭載する家庭内ビデオレコーダ，ハードディスクを備えた車載搭載用のＡＶＮ（Audio Visual Nabigation)装置などが含まれる。これらのコンテンツ記録再生装置は，大容量の記憶媒体に多くのコンテンツを記録することができ，キーワードなど基づいて放送されるテレビ番組などの映像コンテンツを自動的に録画することができる。
【０００３】
多様な嗜好に合わせてコンテンツを自動的に記録する装置（特許文献１），ジャンル分けに基づいてコンテンツを記録する装置（特許文献２）などが提案されている。
【０００４】
このうち，例えば車載用ＡＶＮ装置の場合は，記憶容量に一定の制限があるので
無制限にコンテンツを記録することはできない。そのため，残存する記憶容量の減少に対応して記録済みのコンテンツを自動的に整理することが求められる。
【０００５】
そのような要求に応えて，ユーザの嗜好に基づいてコンテンツを適切に削除，補充する装置（特許文献３），コンテンツの再生状態に応じてユーザに不要なコンテンツを削除できるようにした装置（特許文献４）が提案されている。さらに，番組の優先度に応じて圧縮率を変更するデジタル放送記録再生装置（特許文献５），コンテンツを低画質，高画質に区別して再圧縮する情報記録再生装置（特許文献６）が提案されている。そして，コンテンツの削除を行う前に消去対象のコンテンツを利用者に通知して承認を求めるコンテンツ管理装置（特許文献７）も提案されている。
【特許文献１】特開２００４−７２５０２号公報
【特許文献２】特開２００４−２２０６９６号公報
【特許文献３】特開２００３−２３５０１０号公報
【特許文献４】特開２００５−２５７９２７号公報
【特許文献５】特開２００１−１０１７９７号公報
【特許文献６】特開２００３−２３５００９号公報
【特許文献７】特開２００５−２５９２９５号公報
【発明の開示】
【発明が解決しようとする課題】
【０００６】
特許文献７のコンテンツ管理装置は，所定の条件で削除対象となったコンテンツについてコンテンツのタイトル（番組名）と画像のサムネイルのデータを利用者の携帯電話に通知し削除の承認を求め，利用者は削除を承認しない場合は削除時期を変更したり削除自体を禁止するように変更して指令を送ることができる。
【０００７】
しかしながら，特許文献７に記載されたコンテンツ管理装置は，利用者への削除承認を求める通知に対する応答を待って，削除対象のコンテンツを削除する。そのため，利用者の携帯電話が使用できない環境にあるときは削除承認の通知を行うことができない。また，利用者の携帯電話に削除承認の通知を行っても，利用者が何らかの理由で応答できない場合もある。そのような場合は，コンテンツ管理装置の記録媒体内のコンテンツを削除することができず，記録媒体の残存容量を増やすことができない。そのため，例えばあらかじめ設定された条件に基づく新たなコンテンツの録画が実行できず，利用者の新規のコンテンツの自動録画の要求に応えることができない。
【０００８】
一般に，利用者は最新のコンテンツの取得をより高い優先度で要求する傾向にあり，古いコンテンツや長期にわたり再生されていないコンテンツよりも最新のコンテンツのほうを優先する傾向にある。したがって，何らかの事情により利用者による承認が得られずに新規の録画が実行不能になることはできるだけ避けることが望ましい。
【０００９】
また，別の課題として，削除対象のコンテンツについて削除承認の通知を行った場合，利用者はコンテンツの内容を確認できなければ承認または非承認の判断をすることができない。デジタルテレビ放送などにおいてテレビ番組のコンテンツを記録した時にＥＰＧ（電子プログラムガイド）のコンテンツ情報も同時に記録できた場合は，そのコンテンツ情報と共に削除承認通知を行うことができる。
【００１０】
しかしながら，アナログ放送の番組コンテンツなどＥＰＧを用いることなく記録された場合など，コンテンツ記録時にコンテンツ情報を取得できなかった場合は，利用者がマニュアルでコンテンツ情報の入力を行っていない限り，削除承認の通知にコンテンツ情報を付加することはできない。その場合は，削除承認の通知自体が無意味になる。したがって，テレビ番組などでコンテンツ情報を自動的に取得できるようにすることが求められる。
【００１１】
そこで，本発明の目的は，利用者からの能動的な承認がなくても残存記録容量を自動的に確保することができるコンテンツ記録再生装置を提供することにある。
【課題を解決するための手段】
【００１２】
上記の目的を達成するために，本発明の第１の側面によれば，コンテンツを記録し管理するコンテンツ管理装置において，コンテンツを記録する記録媒体と，コンテンツを取得してその管理情報と共に前記記録媒体に記録するコンテンツ記録ユニットと，前記記録媒体に記録されたコンテンツを前記管理情報に応じて前記記録媒体から削除，転送，圧縮のいずれかを含む記録容量確保の処理を行うコンテンツ管理ユニットとを有し，前記コンテンツ管理ユニットは，前記管理情報に基づいて前記記録容量確保処理対象のコンテンツを選択し，当該選択されたコンテンツのコンテンツ情報及びその記録容量確保の処理情報を含む通知情報を利用者に通知して当該利用者の承認を促し，前記通知情報の通知後に前記利用者からの前記通知に対する返信がない場合に，前記管理情報に含まれる強制処理属性に基づき該当するコンテンツについて強制的に前記記録容量確保処理を実行することを特徴とする。
【００１３】
上記第１の側面において，好ましい態様によれば，前記管理情報は，少なくとも前記利用者が設定する重要度を含み，前記管理情報に含まれる強制処理属性が，前記重要度が第１の閾値以下であることを特徴とする。
【００１４】
更に好ましくは，上記において，前記コンテンツ管理ユニットは，前記コンテンツの選択において，前記重要度が前記第１の閾値より高い第２の閾値以下のコンテンツを選択することを特徴とする。
【００１５】
上記第１の側面において，好ましい態様によれば，前記コンテンツ管理ユニットは，前記コンテンツの選択において，前記重要度が前記第１の閾値より高い第２の閾値以下のコンテンツを選択し，前記通知情報の通知後所定時間経過後に前記利用者からの返信がない場合に，前記重要度が第１の閾値以下のコンテンツについて強制的に前記記録容量確保処理を実行することを特徴とする。
【００１６】
上記第１の側面において，好ましい態様によれば，前記管理情報は利用者により設定され，当該管理情報は記録容量確保処理対象属性と前記強制処理属性と強制処理種別属性とを含み，前記コンテンツ管理ユニットは，前記記録容量確保処理対象属性に基づいて処理対象コンテンツを選択し，前記強制処理属性または強制処理種別属性に基づいて強制処理を実行することを特徴とする。
【００１７】
上記第１の側面において，好ましい態様によれば，前記利用者に通知する通知情報には，記録容量確保処理の種別データと当該記録容量確保処理の種別の変更を可能にする手段が含まれ，前記コンテンツ管理ユニットは，前記利用者からの返信に含まれる承認されたまたは変更された記録容量確保処理を実行することを特徴とする。
【００１８】
上記第１の側面において，好ましい態様によれば，前記管理情報は，少なくとも前記利用者が設定する重要度を含み，前記コンテンツ管理ユニットは，前記重要度が所定の閾値以下のコンテンツを圧縮対象とし，圧縮済みのコンテンツの圧縮率が所定の圧縮率以上のコンテンツを削除対象とすることを特徴とする。
【００１９】
上記の目的を達成するために，第２の発明の側面によれば，コンテンツを記録し管理するコンテンツ管理装置において，コンテンツを記録する記録媒体と，コンテンツを取得してその管理情報と共に前記記録媒体に記録するコンテンツ記録ユニットと，前記記録媒体に記録されたコンテンツを前記管理情報に応じて前記記録媒体から削除，圧縮のいずれかを含む記録容量確保の処理を行うコンテンツ管理ユニットとを有し，前記管理情報は，前記利用者により設定され，前記コンテンツ管理ユニットは，前記管理情報に基づいて前記記録容量確保処理対象のコンテンツを選択し，当該選択されたコンテンツのコンテンツ情報と記録容量確保処理種別のデータとを含む通知情報を利用者に通知して当該利用者の承認を促し，前記通知情報の通知後に前記利用者からの前記通知に対する返信がない場合に，前記管理情報に基づいて強制処理許可が設定されたコンテンツについて強制的に前記記録容量確保処理を実行することを特徴とする。  
【００２０】
上記の目的を達成するために，第３の発明の側面によれば，コンテンツを記録し管理するコンテンツ管理装置において，コンテンツを記録する記録媒体と，コンテンツを取得してその管理情報と共に前記記録媒体に記録するコンテンツ記録ユニットと，前記記録媒体に記録されたコンテンツを前記管理情報に応じて前記記録媒体から削除，圧縮のいずれかを含む記録容量確保の処理を行うコンテンツ管理ユニットとを有し，前記コンテンツ記録ユニットは，テレビ番組コンテンツを取得したときに電子プログラムガイドを参照して，当該テレビ番組コンテンツのコンテンツ情報を取得して記録し，前記コンテンツ記録ユニットは，テレビ番組コンテンツの少なくともコンテンツＩＤとタイトルテロップデータとを有するテレビ番組コンテンツ固有データをデータベースとして記憶し，前記テレビ番組コンテンツのコンテンツ情報が取得できないテレビ番組コンテンツについて，当該テレビ番組コンテンツの再生時に再生されるタイトルテロップと前記テレビ番組コンテンツ固有データのタイトルテロップとのマッチングに基づいて前記コンテンツＩＤを抽出することを特徴とする。
【発明の効果】
【００２１】
上記の発明の側面によれば，記録容量確保のための処理を含むコンテンツの管理を効率的に行うことができる。
【発明を実施するための最良の形態】
【００２２】
以下，図面にしたがって本発明の実施の形態について説明する。但し，本発明の技術的範囲はこれらの実施の形態に限定されず，特許請求の範囲に記載された事項とその均等物まで及ぶものである。
【００２３】
図１は，本実施の形態におけるコンテンツ管理装置とそれに関連する構成を示す図である。コンテンツ記録再生装置１０は，コンテンツを記録する内部記録媒体１２と，コンテンツを取得して内部記録媒体１２に記録するコンテンツ記録ユニット１４と，記録されたコンテンツを再生するコンテンツ再生ユニット１６と，記録されたコンテンツの削除，転送，圧縮などの管理を行うコンテンツ管理ユニット１８とを有する。したがって，コンテンツ記録再生装置１０は，本明細書のコンテンツ管理装置に対応する。
【００２４】
さらに，コンテンツ記録再生装置１０は，スピーカなどを含む表示ユニット２０に接続され，コンテンツ再生時のコンテンツの表示や，コンテンツ管理のためのコンテンツリストの表示などを表示ユニットで行う。また，コンテンツ記録再生装置１０には，オプションでハードディスクやパソコンなどの外部記録媒体２２を接続することができる。この外部記録媒体２２が接続される場合は，コンテンツ管理において，所定のコンテンツを内部記録媒体１２から外部記録媒体２２へ転送する。
【００２５】
コンテンツ記録再生装置１０は，例えば，車載用のＡＶＮ（Audio Visual Navigation）装置であり，音楽ＣＤや音楽サイトからの楽曲コンテンツ，テレビ放送からのテレビ番組コンテンツ，ビデオディスクやビデオサイトからのビデオコンテンツ，ポッドキャスティングサイトからのポッドキャスティングコンテンツなどを取得して，内部記録媒体１２に記録し，再生することができる。
【００２６】
コンテンツ情報提供センタ３０は，テレビ放送コンテンツのコンテンツ情報をインターネットなどを介して提供するサーバであり，コンテンツ記録再生装置１０からの問い合わせに応答して，コンテンツ情報を提供する。コンテンツ情報は，例えば電子プログラムガイド（ＥＰＧ）などに含まれるコンテンツタイトル，放送局，放送日時，アーティスト，ジャンルなどで構成される。
【００２７】
また，コンテンツ情報提供センタ３０は，テレビ放送コンテンツについて少なくともコンテンツＩＤとコンテンツテロップデータとを対応付けたテレビ放送コンテンツ固有データのデータベースを管理し，コンテンツ記録再生装置１０からのダウンロード要求に応答して，当該データベースのデータをダウンロードする。または，どこのデータベースからダウンロードすべきかのデータをダウンロードする。
【００２８】
また，コンテンツ情報提供センタ３０は，音楽ＣＤのコンテンツ情報データベース（ＣＤＤＢ）を管理し，コンテンツ記録再生装置１０からの要求に応答して，コンテンツ情報データベースから対応する音楽コンテンツ情報を装置１０にダウンロードしてもよい。音楽ＣＤのコンテンツ情報データベースは，放送電波によってコンテンツ記録再生装置１０内に記録されていてもよい。その場合は，コンテンツ記録再生装置１０内にて必要な音楽コンテンツ情報を取得することができる。
【００２９】
コンテンツ記録ユニット１４は，コンテンツを取得したとき，そのコンテンツ情報も取得して内部記録媒体１２に記録する。コンテンツ情報の取得は，ＥＰＧからの抽出，ＣＤＤＢからの抽出，利用者による入力，そして，後述するとおりコンテンツ情報センタ３０のサーバからのダウンロードなどにより行われる。取得したコンテンツ情報によって，記録されたコンテンツリストが作成され，表示ユニット２０に表示可能にされる。
【００３０】
コンテンツ記録ユニット１４は，利用者からの要求に加えて，あらかじめ設定された条件に合致するテレビ放送コンテンツを自動的に取得し，コンテンツ情報を取得し，内部記録媒体１２に記録する。
【００３１】
コンテンツ管理ユニット１８は，内部記録媒体１２の残りの記録容量が少なくなると，記録容量確保のために一定の条件に合致するコンテンツを，圧縮（圧縮済みであれば再圧縮），外部記録媒体２２への転送，削除を含む記録容量確保の処理を行う。この記録容量確保処理のための一定の条件は，管理情報としてコンテンツ毎に（または全コンテンツに共通的に）利用者によって入力設定される。例えば，全てのコンテンツにデフォルトの管理情報が設定され，利用者への承認の問い合わせを行い，利用者からの承認または変更設定に応答して管理情報が決定される。
【００３２】
コンテンツ管理ユニット１８は，記録容量確保の処理を行う前に，利用者に処理の承認を求める通知を行う。かかる通知は，利用者がコンテンツを認識できるようにコンテンツ情報と記録容量確保処理の種別とを含み，表示ユニット２０から行われ，または内蔵する通信手段を介して利用者の通信端末４０から行われる。そして，利用者が処理の承認，または処理の変更を返信したときに，当該処理が実行される。また，利用者が所定の期間内に返信をしない場合でも，管理情報に強制処理属性を有するコンテンツについては，強制的にその処理が実行される。これにより，常に内部記録媒体１２には一定の記録容量が確保され，コンテンツの自動または手動による取得と記録を継続することができる。
【００３３】
また，コンテンツ設定サイト５０は，記録容量確保処理対象のコンテンツのコンテンツ情報と処理種別とが登録されるサーバであり，利用者は通信端末４０に処理の承認を求める通知を受信したときに，コンテンツ設定サイト５０にアクセスして，コンテンツの詳細情報を問い合わせし，また，処理の変更を設定することができる。
【００３４】
図２は，本実施の形態におけるコンテンツ管理装置（コンテンツ記録再生装置１０）の一例である車載用ＡＶＮ装置の構成図である。制御部１０２は，内部リソースの種々の制御を行い，図１のコンテンツ記録ユニット１４とコンテンツ再生ユニット１６とコンテンツ管理ユニット１８の制御部に対応する。コンテンツ記録再生装置１０は，音楽ＣＤを再生するＣＤ再生部１０４と，ラジオ受信部１０６と，テレビ受信部１０８と，映像コンテンツを有するＤＶＤを再生するＤＶＤ再生部１１０と，位置情報やＶＩＣＳ情報を受信してナビゲーション機能を提供するナビゲーション部１１４とを含むリソースを有し，選択処理部１１６によって前記リソースのいずれかを選択し，スピーカ２１，表示ユニット２０（表示パネル２０Ａとパネル駆動部２０Ｂ）から再生する。
【００３５】
また，コンテンツ記録再生装置１０は，利用者からの操作入力がされる操作部１２４を有し，さらに，外部との通信を行う通信ユニット１２６を有する。この通信ユニット１２６を介して，インターネットに接続することで，前述の音楽サイトやビデオサイト，さらにポッドキャスティングサイトにアクセスすることができる。さらに，通信ユニット１２６を介して，後述する利用者の通信端末と通信することができる。また，通信ユニット１２６を介して図１のコンテンツ情報提供センタのサイトやコンテンツ設定サイト５０にもアクセスすることができる。
【００３６】
図３は，本実施の形態におけるコンテンツの記録と管理の概略動作フローチャート図である。利用者によりあらかじめ設定された取得条件に応じてまたは利用者からの要求に応じて，コンテンツが取得され，内部記録媒体１２に記録される（Ｓ１）。このとき，コンテンツ記録ユニット１４は，コンテンツ情報を取得する（Ｓ２）。コンテンツ情報の取得Ｓ２は，前述のとおり，テレビ番組コンテンツであればＥＰＧから，音楽ＣＤの音楽コンテンツであればＣＤＤＢから，それ以外のコンテンツであればコンテンツ提供サイトやコンテンツの記録媒体から抽出することで行われる。
【００３７】
またコンテンツ記録ユニット１４は，コンテンツ管理情報を設定する（Ｓ３）。このコンテンツ管理情報の設定Ｓ３は，利用者により行われる。コンテンツ管理情報には，例えば，残存記録容量が減少した時に記録容量確保処理の対象にすべきか否かの情報，処理通知に対して利用者が返信しない場合に強制処理の対象にするか否かの情報などを含む。本実施の形態では，管理情報は後述するとおり重要度データである。
【００３８】
上記のコンテンツ取得Ｓ１，Ｓ２，Ｓ３は，内部記録媒体１２内に残存記録容量が確保されている間は（Ｓ４のＮＯ），繰り返し行われる。内部記録媒体の残存記録容量があらかじめ設定されている容量閾値Ｖｔｈを下回ると（Ｓ４のＹＥＳ），コンテンツ管理ユニット１８は，工程Ｓ５〜Ｓ１０の記録容量確保の処理を実行して，内部記録媒体１２内に一定の残存記録容量を確保する。
【００３９】
コンテンツ管理ユニット１８は，利用者がコンテンツ毎に設定した重要度の低いコンテンツを記録容量確保処理対象に選択する（Ｓ５）。そして，コンテンツ管理ユニット１８は，処理設定テーブルに基づいて，選択されたコンテンツ毎に，記録容量確保処理種別を決定する（Ｓ６）。この処理設定テーブルは，あらかじめ利用者により設定される記録容量確保処理のルールを設定したテーブルデータであり，圧縮処理，転送処理，削除処理などの基準が含まれる。処理設定テーブルは後で詳述する。
【００４０】
そして，コンテンツ管理ユニット１８は，選択された処理対象コンテンツをそのコンテンツ情報と記録容量確保処理種別と共に利用者に通知する（Ｓ７）。この通知は，表示ユニット２０に，または利用者の通信端末に行われる。そして，所定時間内に利用者から返信があると（Ｓ８のＹＥＳ），返信で承認されたまたは変更された処理を実行する（Ｓ９）。また，返信がないと（Ｓ８のＮＯ），コンテンツ管理情報に強制処理属性が含まれているコンテンツのみ強制的に処理を実行する（Ｓ１０）。上記の記録容量確保処理の承認を求める通知と，返信に応答した処理実行及び返信ない場合の強制処理実行により，利用者の意思に基づいて内部記録媒体の記録容量を確保するためのコンテンツ削除，圧縮，転送などを行うことができ，利用者が望まない処理が誤って実行されることを回避できる。また，利用者が返信できない場合でも，利用者の意思に基づく最低限の処理を実行できるので，新たなコンテンツの取得と記録に支障を来すことはない。
【００４１】
図４は，コンテンツリストの一例を示す図である。コンテンツ記録ユニット１４がコンテンツを取得して記録すると共に，コンテンツ情報を取得すると，図４に示されるようなコンテンツリスト２００が作成され，表示ユニット２０に表示される。
【００４２】
コンテンツリスト２００には，記録されたコンテンツ毎に，コンテンツＩＤ２０１，コンテンツ種別２０２，コンテンツタイトル（名）２０３，コンテンツのアーティスト，放送局名，放送日時のデータ２０４，ジャンル２０５などのコンテンツ情報２１２が含まれる。コンテンツ情報２１２に加えて，コンテンツの記録された記録日時２０６，コンテンツが再生された再生日時２０７，再生回数２０８，コンテンツの圧縮率２０９，コンテンツの重要度（管理情報）２１０，ユーザ嗜好値２１１が，コンテンツリストに含まれる。
【００４３】
コンテンツリスト２００の表示項目や並びは，利用者がカスタマイズすることができる。また，コンテンツの管理情報としての重要度２１０は，利用者２１０により設定可能であり，利用者はコンテンツ毎に５段階の重要度をリスト表示画面で設定することができる。また，コンテンツ情報２１２も利用者により編集可能である。
【００４４】
記録日時２０６と再生日時２０７と再生回数２０８は，記録，再生時に自動的に記録される。また，圧縮率２０９は，記録容量確保処理でコンテンツが圧縮または再圧縮されると，圧縮後の圧縮率が記録される。さらに，ユーザ嗜好値２１１は，後述するとおり，ユーザが設定可能な重要度２１０と，記録日時２０６，再生日時２０７，再生回数２０８などに基づいて，所定のルールで自動的に求められ，このユーザ嗜好値は，圧縮処理を決定するための基準として利用される。
【００４５】
図５は，コンテンツ記録ユニットによるコンテンツ情報取得のフローチャート図である。コンテンツ記録ユニットは，記録されたコンテンツのコンテンツ情報が存在しない場合に（Ｓ２０のＹＥＳ），コンテンツ情報を以下の処理により取得する。
【００４６】
まず，コンテンツがテレビ番組コンテンツの場合は（Ｓ２１のＹＥＳ），あらかじめ取得して記録されている全てのテレビ番組のコンテンツ固有データから対象のコンテンツＩＤを抽出する（Ｓ２２）。このテレビ番組コンテンツ固有データは，コンテンツＩＤに対応して番組タイトルのテロップデータを有し，全番組分の固有データのデータベースがコンテンツ情報提供センタ３０で管理されていて，その固有データのデータベースが，あらかじめそして定期的にコンテンツ情報提供センタ３０からコンテンツ記録再生装置１０にダウンロードされている。
【００４７】
［コンテンツ情報の取得］
図６は，テレビ番組コンテンツのタイトルテロップのマッチング方法を示す図である。図６（Ａ）は，テレビ番組コンテンツの固有データのタイトルテロップデータの画像を示す。一方，図６（Ｂ）は，記録されているテレビ番組コンテンツを再生した時の冒頭に表示されるタイトルテロップ画像を示す。両画像のうち破線で囲まれたタイトルテロップの有効部分どうしをパターンマッチングすることで，記録されているテレビ番組コンテンツと一致するコンテンツＩＤをデータベースから抽出する（Ｓ２２）。
【００４８】
このパターンマッチングでデータベース内にパターンマッチングするものがあれば（Ｓ２３のＹＥＳ），コンテンツ記録ユニット１４は，そのマッチングしたコンテンツＩＤを参照して，コンテンツ情報提供センタ３０からコンテンツ情報を取得する（Ｓ２４）。上記のパターンマッチング以外の方法として，図６（Ｂ）のコンテンツ再生時のタイトルテロップを文字認識により文字データに変換し，そのタイトルテロップの文字データと，固有データのタイトルテロップ（この場合は文字データ）とのマッチングを行っても良い。そしてマッチングしたコンテンツＩＤを参照して，コンテンツ情報提供センタ３０からコンテンツ情報を取得する。そして，取得したコンテンツ情報を記録する（Ｓ２５）。
【００４９】
コンテンツ情報が必要なコンテンツが楽曲コンテンツの場合は（Ｓ２７のＹＥＳ），あらかじめ放送電波を介して取得し記録されているＣＤＤＢから楽曲コンテンツのコンテンツ情報を抽出する（Ｓ２８）。抽出することができれば（Ｓ２９のＹＥＳ），その抽出したコンテンツ情報を記録する（Ｓ２５）。
【００５０】
上記以外の方法として，新たなテレビ番組コンテンツを放送データから取得した時は，その放送局と放送日時とを取得することができる。そこで，コンテンツ記録ユニットは，この放送局と放送日時データを参照して，コンテンツ情報提供センタ３０からそれに一致するコンテンツの情報をダウンロードすることもできる。一般に放送局と放送日時が特定されれば，テレビ番組コンテンツが特定されるからである。
【００５１】
以上のように，コンテンツ記録再生装置１０は，新たに取得したコンテンツについて，テレビ番組コンテンツならそのタイトルテロップなどに基づいてコンテンツ情報をコンテンツ情報提供センタ３０から入手し，楽曲コンテンツであればそのＣＤ管理データに基づいてＣＤＤＢから入手する。これにより，記録されたコンテンツのコンテンツ情報を取得することができ，コンテンツリストにその情報を加えることができ，コンテンツ管理で利用者に処理の承認を求める通知にコンテンツ情報を加えて利用者のコンテンツ特性を可能にすることができる。
【００５２】
［コンテンツ管理］
次に，コンテンツ管理の手順について説明する。本実施の形態では，コンテンツ管理のために，利用者はコンテンツ毎に管理情報として重要度を設定することが求められる。例えば，デフォルトで重要度は最高の５に設定される。そして，利用者は必要に応じてその重要度を１〜４のいずれかに変更する。重要度の変更は，図４のコンテンツリストにて行うことができる。
【００５３】
図７は，コンテンツ処理設定テーブルの一例を示す図である。コンテンツ管理のために，さらに，利用者はコンテンツ処理設定テーブルの設定を要求される。このテーブルの設定値に基づいて，記録容量確保のための処理対象コンテンツと処理種別とが決定される。
【００５４】
図７に示したコンテンツ処理設定テーブル３００には，記憶容量確保処理を開始すべき残存容量を示す「容量確保処理開始残容量」が２０００ＭＢと，記憶容量確保処理対象のコンテンツの重要度を示す「再圧縮対象重要度範囲」が３以下と，削除対象のコンテンツの圧縮範囲を示す「削除対象圧縮範囲」が９５％以下と，外部記録媒体への転送対象のコンテンツの圧縮範囲を示す「転送対象圧縮範囲」が９０％と，そして，処理通知に対して利用者からの応答がない場合に強制的に処理されるコンテンツの重要度（強制処理属性）を示す「応答無し時容量確保処理許可重要度範囲」が２以下と，それぞれ設定されている。
【００５５】
また，コンテンツ処理設定テーブル３００には，処理通知を行う利用者の通知先情報を示す「通知先アドレス」として「xxxxx＠xxxx.ne.jp」というメールアドレスが，処理通知に対する利用者からの応答を待つ時間を示す「応答待機時間」として３０分が，さらに，テレビ番組コンテンツ固有データを取得すべきジャンルを示す「番組コンテンツ固有データ取得ジャンル」としてバラエティ，ドラマが，設定されている。
【００５６】
上記の設定テーブル３００によれば，内部記録媒体の残存容量が２０００ＭＢになると，重要度が３以下のコンテンツが記録容量確保処理対象のコンテンツとして選択される。そして，選択されたコンテンツの圧縮率が９５％以上なら削除処理，９０％以上９５％未満なら転送処理，９０％未満なら再圧縮処理が，処理種別として決定される。したがって，処理対象のコンテンツは，圧縮率が低い場合は再圧縮対象となり，再圧縮により圧縮率が高くなると，削除または転送対象にされる。また，処理通知に対して利用者が返信しない場合は，通知されたコンテンツのうち重要度が２以下のコンテンツのみが，強制的に処理を実行される。したがって，利用者がその意思に基づいて設定した重要度に基づいて，処理対象コンテンツの選択と，強制処理対象のコンテンツの選択とが行われる。
【００５７】
図８は，コンテンツ評価点テーブルを示す図である。前述のとおり，重要度が３以下のコンテンツは記録容量確保処理対象のコンテンツに選択される。そして，圧縮率が低い場合は再圧縮の対象になる。圧縮の方法としては，サンプリングレートを下げて画質を低下させる圧縮方式，伸張したときに元のデータに再現できる可逆圧縮方式，伸張すると元のデータに再現できない非可逆圧縮方式と，種々の方法が考えられる。
【００５８】
そこで，本実施の形態では，コンテンツ毎にその重要度とそれ以外のファクタを基にしてコンテンツを評価して嗜好値を求め，その嗜好値に基づいて圧縮方式を自動的に選択する。つまり，嗜好値が高い場合は，画質が低下しない圧縮方式が選択され，嗜好値が低い場合は画質低下を許容する圧縮方式が選択される。
【００５９】
図８に示したコンテンツ評価点テーブル４００は，ユーザが設定する５段階の重要度と，記録日時からの経過時間の５段階と，再生日時からの経過時間の５段階と，再生頻度（再生回数／３０日）の５段階とを有し，それぞれの５段階に対して評価点１〜５点が与えられる。これらの評価点の合計が，嗜好値となる。よって，嗜好値は，利用者が設定する重要度以外に，実際の利用者の行動パターンも考慮して決定される。
【００６０】
図９は，記録容量確保処理対象コンテンツの選択工程のフローチャート図である。図３の選択工程Ｓ５と処理種別の決定工程Ｓ６の詳細を示している。コンテンツ管理ユニット１８は，内部記録媒体１２の残存容量が２０００ＭＢ以下になると，記録容量容量確保処理対象のコンテンツを選択する。コンテンツリストから重要度が３以下のコンテンツがあるか否かがチェックされ（Ｓ３０），該当するコンテンツが処理対象コンテンツとして選択される（Ｓ３１）。
【００６１】
さらに，選択された処理対象コンテンツの圧縮率に基づいて，コンテンツ処理設定テーブル（図７）の設定された圧縮率（９０％，９５％）以下のコンテンツは（Ｓ３２のＹＥＳ），圧縮対象リストに加えられる（Ｓ３３）。一方，設定された圧縮率（９０％，９５％）を超えるコンテンツは（Ｓ３２のＮＯ），９０〜９５％なら外部記録媒体への転送対象リストに加えられ，９５％〜なら削除対象リストに加えられる（Ｓ３４）。この場合，外部記録媒体が接続されていない場合は，圧縮率９５％〜のコンテンツが削除対象リストに加えられ，圧縮率が９０〜９５％のコンテンツは再圧縮対象リストに加えられる。
【００６２】
また，圧縮対象リストに加えられたコンテンツは，前述のとおり，その嗜好値に基づいて圧縮方式が決定される。
【００６３】
図１０は，記録容量確保処理のフローチャート図である。このフローチャート図の工程Ｓ４，Ｓ５，Ｓ６，Ｓ９，Ｓ１０は，図３の対応する工程と重複しているが，利用者への処理の通知と返信にかかる処理が詳細に示されている。
【００６４】
コンテンツ管理ユニットは，圧縮，削除，転送対象のコンテンツの処理を決定すると（Ｓ５，Ｓ６），まずコンテンツ記録再生装置１０に接続されている表示ユニット２０から利用者に処理対象コンテンツを通知する（Ｓ７０）。
【００６５】
図１１は，処理対象コンテンツ画面の例を示す図である。処理対象コンテンツ画面５００には，図４のコンテンツリストと同様に，コンテンツＩＤ５０１と，コンテンツタイトル（名）５０３と，アーティスト，放送局名，放送日時の情報５０４と，記録日時５０６とが表示される。これらのコンテンツ情報により，利用者は処理対象コンテンツをある程度特定することができる。そして，処理対象コンテンツ画面５００は，さらに，処理種別５１２と，処理種別が圧縮の場合の圧縮率や方式と，転送の場合の転送先の情報５１３と，コンテンツのプレビューボタン５１４と，実行承認ボタン５１５と，処理設定完了ボタン５１６とを有する。
【００６６】
上記のように，コンテンツ毎に処理種別５１２と，圧縮率や圧縮方式と転送先情報５１３を示して，コンテンツ毎に実行承認５１５を可能にしている。そして，コンテンツ情報（コンテンツタイトル５０３，アーティスト・放送局・放送日時情報５０４）だけでコンテンツを特定できない場合のために，プレビューボタン５１４が設けられている。利用者は，プレビューボタン５１４を押すことでそのコンテンツのプレビューを参照することができコンテンツを正確に特定することができる。
【００６７】
さらに，利用者は，処理種別５１２をプルダウンメニュー５１２Ａにより変更することができる。また，圧縮率と方式についてもプルダウンメニュー５１３Ａにより，転送先についてもプルダウンメニュー５１３Ｂによりそれぞれ変更することができる。したがって，利用者は，記録容量確保処理についてコンテンツ毎に最終確認をし必要に応じて変更設定することができる。
【００６８】
そして，処理設定完了ボタン５１６が所定時間内に押されると，コンテンツ管理ユニットは，利用者からの応答ありを検知し（Ｓ７１のＹＥＳ），利用者が変更設定した内容を反映し（Ｓ７５），処理を実行する（Ｓ９，Ｓ１０）。一方，処理設定完了ボタン５１６が所定時間内に押されないと（Ｓ７１のＮＯ），コンテンツ管理ユニットは，利用者の通知先アドレスが設定されていれば（Ｓ７２のＹＥＳ），その通知先アドレスに通知する（Ｓ７３）。それと同時に，コンテンツ管理ユニットは，コンテンツ設定サイト５０に図１１の処理対象コンテンツ画面データをアップロードする。
【００６９】
利用者は，携帯電話などの通信端末４０でその通知を受け取ると，通知に埋め込まれたＵＲＬに基づいてコンテンツ設定サイト５０内の自分の処理対象コンテンツ画面にアクセスすることができる。そして，このコンテンツ設定サイト５０で，図１１の処理対象コンテンツ画面５００を表示させて，上記と同様に処理種別の確認，変更設定を行って，設定完了を返信することができる。なお，コンテンツ設定サイト５０での処理対象コンテンツ画面５００では，プレビューボタン５１４がサムネイル表示バタンでもよい。プレビュー可能にするためにはプレビューの映像データもアップロードする必要があり，データ容量が大きくなりすぎる可能性があるからである。
【００７０】
コンテンツ管理ユニットは，利用者の通知先アドレスに通知した後，所定時間内に応答があれば（Ｓ７４），その応答の設定内容を反映し（Ｓ７５），処理を実行する（Ｓ９，Ｓ１０）。ただし，利用者の通知先アドレスが登録されてなく通知ができない場合（Ｓ７２のＮＯ）や，利用者の通知先アドレスに通知後所定時間内に応答が内場合（Ｓ７４のＮＯ）には，強制処理可能なコンテンツリストを選択し（Ｓ７６），その強制処理可能コンテンツについてのみ処理を実行する（Ｓ９，Ｓ１０）。
【００７１】
強制処理可能なコンテンツは，図７のコンテンツ処理設定テーブル３００で「応答無し時容量確保処理許可重要度範囲」で設定した重要度が２以下のコンテンツである。重要度は利用者が設定するものであるので，強制処理の許可は利用者の意思に基づいている。
【００７２】
強制処理可能なコンテンツの設定方法の変形例として，コンテンツ毎の重要度の設定以外に，コンテンツ毎の処理種別の設定を加えることもできる。すなわち，利用者がコンテンツの管理情報として，重要度を２以下に設定した場合，強制処理可能な処理種別の設定も行わせるようにする。たとえば，デフォルトで可逆圧縮のみ強制処理を許可し，削除，転送，非可逆処理などの処理を禁止にしておき，利用者にその強制処理可能な処理種別の変更設定を促すようにしてもよい。利用者に，その意思に基づいて，コンテンツ毎に強制処理の可否，強制処理種別の設定を行わせることで，強制処理の内容はよりきめ細かく設定可能にすることができる。
【００７３】
または，コンテンツの管理情報が，記録容量確保処理対象か否か，強制処理対象か否か，強制処理種別などを有していて，それらをコンテンツ毎に利用者が設定するようにしてもよい。
【００７４】
さらに，図７のコンテンツ処理設定テーブル３００において，「応答無し時容量確保処理許可重要度範囲」の設定内容に，重要度範囲と，処理種別を設定可能にしてもよい。
【００７５】
以上のように，本実施の形態によれば，コンテンツ情報がテレビ番組コンテンツの場合も含めて取得されるので，記録容量確保処理対象のコンテンツを利用者に通知した時，利用者はそのコンテンツをコンテンツ情報から確認することができ，その処理の許可や変更を行うことができる。また，利用者からの確認通知に対する応答がない場合でも，あらかじめ強制処理属性が設定されているので，虚勢処理属性を持つコンテンツについては処理を実行できる。よって，記録容量を確保することができ，新規のコンテンツ取得を可能にすることができる。
【００７６】
以上の実施の形態をまとめると以下の付記の通りである。
【００７７】
（付記１）
コンテンツを記録し管理するコンテンツ管理装置において，
コンテンツを記録する記録媒体と，
コンテンツを取得してその管理情報と共に前記記録媒体に記録するコンテンツ記録ユニットと，
前記記録媒体に記録されたコンテンツを前記管理情報に応じて前記記録媒体から削除，転送，圧縮のいずれかを含む記録容量確保の処理を行うコンテンツ管理ユニットとを有し，
前記コンテンツ管理ユニットは，前記管理情報に基づいて前記記録容量確保処理対象のコンテンツを選択し，当該選択されたコンテンツのコンテンツ情報及びその記録容量確保の処理情報を含む通知情報を利用者に通知して当該利用者の承認を促し，前記通知情報の通知後に前記利用者からの前記通知に対する返信がない場合に，前記管理情報に含まれる強制処理属性に基づき該当するコンテンツについて強制的に前記記録容量確保処理を実行することを特徴とするコンテンツ管理装置。
【００７８】
（付記２）
付記１において，
前記管理情報は，少なくとも前記利用者が設定する重要度を含み，
前記管理情報に含まれる強制処理属性が，前記重要度が第１の閾値以下であることを特徴とするコンテンツ管理装置。
【００７９】
（付記３）
付記２において，
前記コンテンツ管理ユニットは，前記コンテンツの選択において，前記重要度が前記第１の閾値より高い第２の閾値以下のコンテンツを選択することを特徴とするコンテンツ管理装置。
【００８０】
（付記４）
付記３において，
前記コンテンツ管理ユニットは，前記選択されたコンテンツについて，前記コンテンツの重要度と，更に，記録日時データと，再生日時データと，再生頻度データのいずれかとに基づく嗜好値に応じて，前記圧縮処理における圧縮率または可逆圧縮か非可逆圧縮かを含む圧縮方式を決定することを特徴とするコンテンツ管理装置。
【００８１】
（付記５）
付記３において，
前記コンテンツ管理ユニットは，前記選択されたコンテンツについて，当該コンテンツが第１の圧縮率を超えて圧縮されている場合に前記記録容量確保処理を削除とすることを特徴とするコンテンツ管理装置。
【００８２】
（付記６）
付記５において，
前記コンテンツ管理ユニットは，前記選択されたコンテンツについて，当該コンテンツが前記第１の圧縮率より低い第２の圧縮率を超えて圧縮されている場合に前記記録容量確保処理を外部記録媒体への転送とすることを特徴とするコンテンツ管理装置。
【００８３】
（付記７）
付記２において，
前記コンテンツ管理ユニットは，前記コンテンツの選択において，前記重要度が前記第１の閾値より高い第２の閾値以下のコンテンツを選択し，前記通知情報の通知後所定時間経過後に前記利用者からの返信がない場合に，前記重要度が第１の閾値以下のコンテンツについて強制的に前記記録容量確保処理を実行することを特徴とするコンテンツ管理装置。
【００８４】
（付記８）
付記１において，
前記管理情報は利用者により設定され，当該管理情報は記録容量確保処理対象属性と前記強制処理属性と強制処理種別属性とを含み，
前記コンテンツ管理ユニットは，前記記録容量確保処理対象属性に基づいて処理対象コンテンツを選択し，前記強制処理属性または強制処理種別属性に基づいて強制処理を実行することを特徴とするコンテンツ管理装置。
【００８５】
（付記９）
付記１において，
前記利用者に通知する通知情報には，記録容量確保処理の種別データと当該記録容量確保処理の種別の変更を可能にする手段が含まれ，前記コンテンツ管理ユニットは，前記利用者からの返信に含まれる承認されたまたは変更された記録容量確保処理を実行することを特徴とするコンテンツ管理装置。
【００８６】
（付記１０）
付記１において，
前記管理情報は，少なくとも前記利用者が設定する重要度を含み，
前記コンテンツ管理ユニットは，前記重要度が所定の閾値以下のコンテンツを圧縮対象とし，圧縮済みのコンテンツの圧縮率が所定の圧縮率以上のコンテンツを削除対象とすることを特徴とするコンテンツ管理装置。
【００８７】
（付記１１）
付記１において，
前記コンテンツ情報は，少なくともコンテンツタイトル，放送局，放送日時のデータを含むことを特徴とするコンテンツ管理装置。
【００８８】
（付記１２）
付記１１において，
前記プレビュー情報は，前記コンテンツのプレビューデータが格納されたサイトのＵＲＬデータであることを特徴とするコンテンツ管理装置。
【００８９】
（付記１３）
コンテンツを記録し管理するコンテンツ管理装置において，
コンテンツを記録する記録媒体と，
コンテンツを取得してその管理情報と共に前記記録媒体に記録するコンテンツ記録ユニットと，
前記記録媒体に記録されたコンテンツを前記管理情報に応じて前記記録媒体から削除，圧縮のいずれかを含む記録容量確保の処理を行うコンテンツ管理ユニットとを有し，
前記管理情報は，前記利用者により設定され，
前記コンテンツ管理ユニットは，前記管理情報に基づいて前記記録容量確保処理対象のコンテンツを選択し，当該選択されたコンテンツのコンテンツ情報と記録容量確保処理種別のデータとを含む通知情報を利用者に通知して当該利用者の承認を促し，前記通知情報の通知後に前記利用者からの前記通知に対する返信がない場合に，前記管理情報に基づいて強制処理許可が設定されたコンテンツについて強制的に前記記録容量確保処理を実行することを特徴とするコンテンツ管理装置。
【００９０】
（付記１４）
コンテンツを記録し管理するコンテンツ管理装置において，
コンテンツを記録する記録媒体と，
コンテンツを取得してその管理情報と共に前記記録媒体に記録するコンテンツ記録ユニットと，
前記記録媒体に記録されたコンテンツを前記管理情報に応じて前記記録媒体から削除，圧縮のいずれかを含む記録容量確保の処理を行うコンテンツ管理ユニットとを有し，
前記コンテンツ記録ユニットは，テレビ番組コンテンツを取得したときに電子プログラムガイドを参照して，当該テレビ番組コンテンツのコンテンツ情報を取得して記録し，
前記コンテンツ記録ユニットは，テレビ番組コンテンツの少なくともコンテンツＩＤとタイトルテロップデータとを有するテレビ番組コンテンツ固有データをデータベースとして記憶し，前記テレビ番組コンテンツのコンテンツ情報が取得できないテレビ番組コンテンツについて，当該テレビ番組コンテンツの再生時に再生されるタイトルテロップと前記テレビ番組コンテンツ固有データのタイトルテロップとのマッチングに基づいて前記コンテンツＩＤを抽出することを特徴とするコンテンツ管理装置。
【００９１】
（付記１５）
付記１４において，
前記コンテンツ記録ユニットは，前記抽出したコンテンツＩＤを引用して遠隔のコンテンツ情報提供サイトから対応するコンテンツ情報を取得して記録することを特徴とするコンテンツ管理装置。
【００９２】
（付記１６）
付記１５において，
前記コンテンツ管理ユニットは，前記管理情報に基づいて前記記録容量確保処理対象のコンテンツを選択し，当該選択されたコンテンツのコンテンツ情報と記録容量確保処理種別のデータとを含む通知情報を利用者に通知して当該利用者の承認を促し，承認されたコンテンツについて前記記録容量確保処理を実行することを特徴とするコンテンツ管理装置。
【図面の簡単な説明】
【００９３】
【図１】本実施の形態におけるコンテンツ管理装置とそれに関連する構成を示す図である。
【図２】本実施の形態におけるコンテンツ管理装置の一例である車載用ＡＶＮ装置の構成図である。
【図３】本実施の形態におけるコンテンツの記録と管理の概略動作フローチャート図である。
【図４】コンテンツリストの一例を示す図である。
【図５】コンテンツ記録ユニットによるコンテンツ情報取得のフローチャート図である。
【図６】テレビ番組コンテンツのタイトルテロップのマッチング方法を示す図である。
【図７】コンテンツ処理設定テーブルの一例を示す図である。
【図８】コンテンツ評価点テーブルを示す図である。
【図９】記録容量確保処理対象コンテンツの選択工程のフローチャート図である。
【図１０】記録容量確保処理のフローチャート図である。
【図１１】処理対象コンテンツ画面の例を示す図である。
【符号の説明】
【００９４】
１０：コンテンツ管理装置          １２：内部記録媒体
１４：コンテンツ記録ユニット      １８：コンテンツ管理ユニット
３０：コンテンツ情報提供センタ    ４０：通信端末
５０：コンテンツ設定サイト
【図１】
2007295190.tif 000003
【図２】
2007295190.tif 000004
【図３】
2007295190.tif 000005
【図４】
2007295190.tif 000006
【図５】
2007295190.tif 000007
【図６】
2007295190.tif 000008
【図７】
2007295190.tif 000009
【図８】
2007295190.tif 000010
【図９】
2007295190.tif 000011
【図１０】
2007295190.tif 000012
【図１１】
2007295190.tif 000013